(57)【要約】【課題】イオン発生装置搭載エレベーターにおいて、エレベーター利用客の意思によってイオン発生装置を動作させる手段を提供しつつ、乗りかご内のイオン濃度を適正な濃度範囲に維持し、かつイオン発生装置の寿命が短くなることを防止する。【解決手段】エレベーターの乗りかご内に利用客が操作可能なイオン発生ボタン５を設け、エレペータドアの開閉状態や、イオン発生ボタンが操作されるまでのイオン発生装置７の動作回数によりイオン発生ボタン５によるイオン発生装置７の動作の可否を判定する。【選択図】図１
2015016937.tif 000002
【特許請求の範囲】
【請求項１】
エレベーターの乗りかご内にイオンを供給するイオン発生装置と、前記イオン発生装置の動作を制御する制御手段と、前記乗りかごのドア開閉状態を通知するドア開閉装置とを備えるイオン発生装置搭載エレベーターにおいて、
前記制御手段は利用客が操作するボタンの操作によりイオンの供給を行うことを特徴とするイオン発生装置搭載エレベーター。
【請求項２】
請求項１に記載のイオン発生装置搭載エレベーターにおいて、
前記制御手段は、前記ドア開閉状況を参照して前記イオン発生装置の動作回数を制限することを特徴とするイオン発生装置搭載エレベーター。
【請求項３】
請求項１に記載のイオン発生装置搭載エレベーターにおいて、
前記の制御手段は、エレベーター制御装置からの信号を参照して前記イオン発生装置の動作回数を制限することを特徴とするイオン発生装置搭載エレベーター。
【請求項４】
請求項１に記載のイオン発生装置搭載エレベーターにおいて、
前記制御手段は、前記ドア開閉状況を参照して前記イオン発生装置の動作時限を変更することを特徴とするイオン発生装置搭載エレベーター。
【発明の詳細な説明】
【技術分野】
【０００１】
本発明はイオン発生装置を乗りかごに搭載したエレベーターに関し、特にイオン発生装置の動作の制御方法に関する。
【背景技術】
【０００２】
エレベーターの乗りかごは不特定多数の利用者が乗降するため、臭いが残ったり、病原菌などが残り、利用者に悪影響を与える可能性がある。この臭いを分解・除去したり、病原菌を滅菌・殺菌する手段として、エレベーターの乗りかごにイオン発生装置を設けイオンを乗りかご内に供給することが提案されている。
【０００３】
このエレベーターの乗りかごに搭載されるイオン発生装置の動作を制御する方法としては、かご呼びまたは乗り揚呼びに基づいてイオン発生装置を所定時間動作させる方法や、イオン発生装置を動作させない指令を行なう制御方法が知られている（特許文献１）。
【０００４】
また、イオン発生装置において任意の動作時間と休止時間とを設け、エレベーターの運行状況に応じこの動作・休止とを繰り返し、イオン発生装置の性能の安定と長寿命化とを図る制御方法が知られている（特許文献２）。
【先行技術文献】
【特許文献】
【０００５】
【特許文献１】特開２００３−３２１１７５号公報
【特許文献２】特開２０１２−１５３５１３号公報
【発明の概要】
【発明が解決しようとする課題】
【０００６】
上記従来技術において、イオン発生装置はエレベーターの運行状況に応じ自動的に制御されている。しかしながら乗りかご内において利用者が臭いなどで不快感を感じた際においては、従来技術では利用客の意思によってイオン発生装置を動作させる手段が備えられていないため、利便性を考えて乗りかご内にイオン発生ボタンを設けることが考えられる。
【０００７】
しかし、利用客の意思によりイオン発生装置を動作させることを可能な構成とした揚合、乗りかごのイオン濃度が有効な濃度であり、イオン発生装置の動作が不要な場合においてもイオン発生装置が動作させられる状況が発生すると考えられ、イオンの過剰な供給やイオン発生装置の寿命が短くなることが懸念される。
【０００８】
本発明の目的は、利用客の利便性を向上させるとともに、イオン発生装置の過剰な動作を抑制し、かつ効果的なイオンの濃度維持とイオン発生装置の動作回数の低減によるイオン発生装置の寿命の延長を図ることにある。
【課題を解決するための手段】
【０００９】
上記目的を達成するため、本発明は、エレベーターの乗りかご内にイオンを供給するイオン発生装置と、前記イオン発生装置の動作を制御する制御手段と、前記乗りかごのドア開閉状態を通知するドア開閉装置とを備えるイオン発生装置搭載エレベーターにおいて、前記制御手段は利用客が操作するボタンの操作によりイオンの供給を行うことを特徴とする。
【００１０】
また、本発明は、前記制御手段は、前記ドア開閉状況を参照して前記イオン発生装置の動作回数を制限することを特徴とする。
【００１１】
また、本発明は、前記制御手段は、エレベーター制御装置からの信号を参照して前記イオン発生装置の動作回数を制限することを特徴とする。
【００１２】
また、本発明は、前記制御手段は、前記ドア開閉状況を参照して前記イオン発生装置の動作時限を変吏することを特徴とする。
【発明の効果】
【００１３】
本発明によれば、利用客に対し自らの意思によりイオン発生装置を動作させる手段を提供して利用客の利便性を向上させるとともに、イオン発生装置の過剰な動作を抑制し、かつ効果的なイオンの濃度維持とイオン発生装置の動作回数の低減によるイオン発生装置の寿命の延長効果とを得ることができる。
【図面の簡単な説明】
【００１４】
【図１】本発明の一実施例における制御装置の動作の手順を説明するフローチャートである。
【図２】本発明の一実施例のイオン発生装置搭載エレベーターの構成を示す図である。
【図３】本発明の一実施例により乗りかご内のイオン濃度が適切に制御されている状況を説明する図である。
【図４】本発明によらず乗りかご内のイオン濃度が過剰となっている状況を説明する図である。
【図５】本発明によらず乗りかご内のイオン濃度が不足している状況を説明する図である。
【発明を実施するための形態】
【００１５】
以下、本発明の一実施例について図面を用いて説明する。図２は本発明のイオン発生装置搭載エレベーターの構成を示す図である。図２において、エレベーターの乗りかご１には、乗りかご１に設置されるドア２と、ドア２を開閉しその開閉状態を通知する機能を有するドア開閉装置３と、乗りかご１に設置される運転盤４と、運転盤４に設置されるイオン発生ボタン５と、イオン発生装置７と、イオン発生装置７を制御する制御装置６とを備えている。制御装置６はイオン発生ボタン５からの信号とドア開閉装置３より通知されたドア２の開閉状況とを参照してイオン発生装置７の動作を制御している。イオン発生装置７は制御装置６からの信号によりイオンを発生し乗りかご１内にイオンを供給する。ここで、イオン発生装置７はこの制御装置６からの信号だけではなく、図示しないエレベーターを制御するためのエレベータ制御装置からの信号により制御しても良く、また図示しないエレベー夕一制御装置から制御装置６を制御する構成でも良い。
【００１６】
図１は制御装置６のイオン発生装置７を制御する動作の手順を説明するためのフローチャートである。以下図１を使用して制御装置６の動作の手順を説明する。図１の動作は、定期的にまたは利用客によりイオン発生ボタン５が操作された場合に制御装置６において実施されるものである。また、図５のフローチャートの手順Ｓ４の許可回数は１回と設定し、手順Ｓ５の許可回数は２回と設定している。
【００１７】
まず、制御装置６は、今回の動作の起動が定期起動によるものであるかを判断する（手順Ｓ１）。定期起動によるものでなければ手順Ｓ２に進み、定期起動によるものであれば手順Ｓ８に進む。
【００１８】
次に、制御装置６は、利用客によりイオン発生ボタン５が操作されたかを判断する（手順Ｓ２) 。イオン発生ボタン５が操作されていなければ、今回の動作を終了する。一方、イオン発生ボタン５が操作された場合は手順Ｓ３に進み、ドアの開閉状況により操作許可回数を設定する（手順Ｓ３）。ここでは、ドアが開いている状態では、手順Ｓ４にて操作許可回数を２回までと設定し、閉じている状態では手順Ｓ５にて操作許可回数を１回までと設定する。なお、本実施例では、ドアが開いているもしくは閉じているという２つの状態でのみ判定を行なっているが、ドアの開閉回数が多い状態では操作許可回数をより多く設定し、ドアの開閉回数が少ない場合には操作許可回数を少なく設定する方法としても良い。
【００１９】
次に、制御装置６は、イオン発生装置７を動作させるかを判断する（手順Ｓ６）。イオン発生ボタン５の操作回数が手順Ｓ４および手順Ｓ５にて設定した許可回数以下であるならば、ステップＳ７に進みイオン発生装置７を動作させ、今回の動作を終える。一方、イオン発生ボタン５の操作回数が手順Ｓ４および手順Ｓ５にて設定した許可回数を越えている場合は、制御装置６はイオン発生装置７を動作させず今回の動作を終える。
【００２０】
一方、今回の動作の起動が定期起動であった場合は、制御装置６は今回の動作は定期起動抑制期間中かを判断する（手順Ｓ８）。この抑制期間はたとえば利用客のイオン発生ボタン５の操作によりイオン発生装置７が過去に動作している場合や、イオン発生装置７が停止した直後でありイオン濃度が十分であると判断されるような場合に相当する。このような場合にイオン発生装置７を動作させることは、イオン濃度が適正濃度範囲を逸脱したり、イオン発生装置７の無駄な動作を行なわせることに繋がるため、イオン発生装置７を動作させないようにする必要がある。この抑制期間中でなければ、制御装置６は手順Ｓ７に進みイオン発生装置７を動作させ、今回の動作を終える。一方、抑圧期間中であった場合は、制御装置６はイオン発生装置７を動作させず今回の動作を終える。
【００２１】
図３は、図２に示すイオン発生装置搭載エレベーターの構成において図１のフローチャートの動作の手順を実施したことにより、乗りかご１内のイオン濃度が適切に制御されている状況を示す図である。図３においては、縦軸は乗りかご内のイオン濃度を表し、横軸は経過時間を表している。また、匂いの除去や菌の除去に対して有効な一定範囲のイオン濃度を適正濃度範囲として表示している。また、横軸の下にドア開閉およびイオン発生ボタン５の操作と乗りかご内にイオンを定期的に供給する定期動作のタイミングを示している。
【００２２】
本発明の目的は、図３のようにドア２の開閉やイオン発生ボタン５が操作された場合においてお乗りかご１内のイオン濃度を適正濃度の範囲内となるような制御を実現することである。図３での説明では特に明記していないが、ドア２が閉じているときと、ドア２が開いているときのイオン濃度の低下量はすでに既知であり一定であるとする。以下、本発明の一実施例によって乗りかご１内のイオン濃度が制御されている状況を図３を使用して説明する。
【００２３】
まず、経過時間Ｏ（時刻Ｔ０）の時点では乗りかご１内のイオン濃度は適正濃度範囲内であるが、時間が経過し、時刻Ｔ１において利用客が乗降のためにドア２が開かれると（Ｄ１）乗りかご１内のイオンはドア２より乗りかご１外に流出するため濃度は緩やかな減少から急激な減少へと転じる。利用客が乗りかご１に乗りこみ、乗りかご１内の臭いを感じて時刻Ｔ２においてイオン発生ボタン５を操作すると（Ｂ１）イオン発生装置７は時刻Ｔ３までイオンを乗りかご１内に供給するため、イオン濃度は上昇する。同様に利用客が時刻Ｔ４においてイオン発生ボタン５を操作すると（Ｂ２）同様にイオン濃度は上昇する。この時点では乗りかご１内のイオン濃度は適正濃度範囲内となっている。
【００２４】
ここで、利用客が時刻Ｔ則こおいて再度でイオン発生ボタン５が操作（Ｂ３）された場合、ドア直近（Ｂ１，Ｂ２）において既にイオン供給を行っていることから、動作回数は２回となっているため、動作回数が許可回数（２回）を超えるため、イオン発生装置６は動作しない。
【００２５】
時刻Ｔ８では定期起動抑制期間を経過しているため、イオン発生装置６は動作し乗りかご１内にイオンを供給する。同様な動作をドア開動作（Ｄ２）及び利用客のイオン発生ボタン３の操作においても行なうため、乗りかご1内のイオン濃度は適正濃度範囲内に保たれる。
【００２６】
図４は、イオン発生ボタン５の操作に対して、イオン発生装置７の動作を制限しない制御方式による、乗りかご１内のイオン濃度の状態である。以降、図３との動作の差異について説明する。時刻Ｔ５までは図２と同じ制御であるが、時刻Ｔ６では図２においては制限されていたイオン発生装置７の動作が行われる。このとき、イオン発生装置７は時刻Ｔ７まで動作してイオンを乗りかご１内に供給するため、乗りかご１内のイオン濃度は適正濃度範囲を超えた供給過剰な状態となる。また、この制御方式では、時刻Ｔ８においてもイオン発生装置７は定期動作を行ないイオンを乗りかご１内に供給するため、さらにイオン供給過剰の状態が続くことになる。このように動作不要な状況でもイオン発生装置７が動作するため、イオン発生装置７の寿命を短くすることにつながる。
【００２７】
図５は、イオン発生装置７の動作制限をより強くした制御方式による乗りかご１内のイオン濃度の状態である。この制御方式では、ドア２が開いた後は利用客のイオン発生ボタン５によるイオン発生装置７の動作を１回のみ許可する制御方式である。図３および図４の時刻Ｔ４では利用客によるイオン発生ボタン５の２回目の操作によりイオン発生装置７が動作していたが、図５ではこの動作を制限している。次のイオン発生装置７の動作は、定期的に動作（時刻Ｔ８）であるため、このような制御方式においては乗りかご１内のイオン濃度を適正濃度範囲に維持することが困難である。一方、時刻Ｔ９以降においても同様な動作が繰り返されるため、乗りかご１内のイオンの濃度を適正濃度範囲に維持することが困難である。
【００２８】
以上に述べてきたことより、本発明によるイオン発生装置の動作の制御方法によれば、利用客によるイオン発生ボタン５の操作によりイオン発生装置７を動作させる場合であっても、定期的に自動で動作する湯合であっても、適正な乗りかご１内のイオン濃度を適正濃度範囲に維持しつつ、イオン発生装置７の動作回数の低減を図ることができ、イオン発生装置７の長寿命化を図ることができる。
【００２９】
また、上記図１のフローチャートにおける許可回数の設定は、たとえばドア開閉一回あたりの許可回数でもよい。また、基準階出発から基準階到着までの一周運転中での許可回数としても、効果を十分発揮することができる。
【００３０】
また、イオン発生装置７を定期的に起動するようにする場合（図１の手順Ｓ８）、抑制時限を固定でなく、ドアの開閉頻度を参照してイオン発生装置７の動作時限および動作抑制時限を決めることで、効率をさらに上げることもできる。
【００３１】
また、本発明では、利用客のイオン発生ボタン５の操作によりイオン発生装置７を動作されているが、上記実施例のように、イオン発生装置７が動作しないような場合もあり得る。そのため、乗りかご１内にイオン発生装置７が動作しない状態であることを報知する手段、たとえば音声案内装置や、表示器による表示を行うことでイオン発生装置７が動作せずとも乗りかご１内のイオンの濃度を適正濃度範囲に維持されていることを利用客に案内する機能も利用客の安心を高めるためには併用されることが望ましい。
【符号の説明】
【００３２】
１  乗りかご
２  ドア
３  ドア開閉装置
４  運転盤
５  イオン発生ボタン
６  制御装置
７  イオン発生装置
Ｄ１〜Ｄ２  ドア動作
Ｂ１〜Ｂ６  イオン発生ボタン操作
Ｃ１〜Ｃ２  定期イオン供給動作
【図１】
2015016937.tif 000003
【図２】
2015016937.tif 000004
【図３】
2015016937.tif 000005
【図４】
2015016937.tif 000006
【図５】
2015016937.tif 000007